(57)【要約】【課題】ストラップの引張り荷重に耐えられる強度を有しながら、表面加飾を施すことが可能な強度の弱い材料を用いて筺体を作る。【解決手段】カメラ１０の筺体は、前・後カバー１６，１８と、これらに挟持される装飾カバー１７とで構成される。装飾カバー１７には開口３０が形成され、開口３０の周縁にはストラップ装着部材１５の取付面３４の周縁を受ける受け部３９が形成されている。前カバー１６に装飾カバー１７を取り付けると、開口３０の背後に前カバー１６に設けた被係止部３１の穴４２が配される。ストラップ装着部材１５の取付面３４に設けた取付部３３は、開口３０を通って穴４２から突出し、その取付部３３にストップ部材３２を係止することで、装飾カバー１７の奥で前カバー１６に固定される。【選択図】図４
2007128996.tif 000002
【特許請求の範囲】
【請求項１】
ストラップを装着するためのストラップ装着部材を、複数の外カバーで構成される筺体に取り付けるための電子機器用ストラップ取付構造において、
互いを嵌め合わせることで前記筺体の一部を構成する一対の外カバーと、
前記筺体の表面のうちの少なくとも一表面に装飾面を露呈するように前記一対の外カバーの合わせ目のうちの一部の合わせ目との間に嵌め込み固定され、固定されることで前記一対の外カバーとともに前記筺体を形成するとともに、前記ストラップ装着部材の挿入側端部に設けた取付部が挿入される開口を有する装飾カバーと、
前記一対の外カバーのうちの一方の外カバーの合わせ目又はこれの内側に、前記一対の外カバーの嵌め合い方向に向けて延設されており、前記開口を通して挿入される前記取付部を挿通するための切り欠き又は穴が形成されている被係止部と、
前記切り欠き又は穴を挿通した前記取付部に係合し、前記被係止部に対して前記ストラップ装着部材の抜け止めを行うストップ部材と、
を備えたことを特徴とする電子機器用ストラップ取付構造。
【請求項２】
前記装飾部材の開口の周縁の全部又は一部には、前記取付部を形成したストラップ装着部材の取付面の周縁の全部又は一部を、ストラップ装着部材の挿入方向から受ける受け部が形成されていることを特徴とする請求項１記載の電子機器用ストラップ取付構造。
【請求項３】
前記装飾カバーには、外部に露呈する操作部が設けられていることを特徴とする請求項１又は２記載の電子機器用ストラップ取付構造。
【請求項４】
前記ストップ部材は、前記ストラップ装着部材の挿入方向に弾性を有する形状、又は材質で形成されていることを特徴とする請求項１ないし３いずれか記載の電子機器用ストラップ取付構造。
【発明の詳細な説明】
【技術分野】
【０００１】
本発明は、電子機器、例えばデジタルカメラや音楽再生機器などにストラップを取り付けるための電子機器用ストラップ取付構造に関する。
【背景技術】
【０００２】
従来から、携帯型電子機器には、手や首に吊り下げるためのストラップを取り付けるためのストラップ装着部が外カバーに露呈して設けられている。ストラップ装着部には、ストラップの紐を通すためのトンネル状の開口が形成されている（特許文献１）。また、ストラップの紐が捻れないように、ストラップ装着部がそれの取付面に対して垂直な軸を中心に回転自在となっているタイプもある（特許文献２）。
【０００３】
特許文献１に記載の携帯電子機器用ストラップの取付構造の発明では、筺体の表面に開口を有する凹部を設け、その凹部内にストラップの取付紐を係止するためのストラップ係止部材（支柱）を出没自在に設け、ストラップ係止部材を退避位置にしてからストラップの取付紐を凹部内に挿入し、ストラップ係止部材を突出位置に移動させてストラップ係止部材をストラップの取付紐の輪に通すことでストラップの取付紐が筺体に係止される。
【０００４】
特許文献２に記載のストラップ装着部材の取付構造の発明では、互いに嵌め合わせて接合することにより筺体を形成する一対のケースのうちの一方のケースに形成した挿通孔に、ストラップ装着部材をケースの外部から内部に向けて挿通し、その後、互いのケースを嵌め合わせる。このとき、ストラップ装着部材の挿入側端部に設けた溝に、他方のケースに設けたフォーク状の係止部材をケースの内側で嵌め合わせ方向から係合してストラップ装着部材の抜け止めを行っている。
【特許文献１】特開２００１−９４６５０号公報
【特許文献２】特開２００５−３１２５０号公報
【発明の開示】
【発明が解決しようとする課題】
【０００５】
しかしながら、特許文献１に記載のストラップ取付構造では、ストラップの輪を係止するストラップ係止部材が筺体に直接的に取り付けられているため、筺体の強度を必要とする。このため、筺体の材料として強度の弱いプラスチック材料などを使用することができず、よって、筺体の表面加装飾に制限を受けることになる。
【０００６】
特許文献２に記載のストラップ取付構造では、一対のケースを嵌め合わせるときに、ケースの内部で係止部材がストラップ装着部材の溝に挿入される。このとき、係止部材が溝に挿入されたか否かをケースの外部から視認できないため、係止部材が溝に挿入されていない組立不良が発生するおそれがある。
【０００７】
本発明では、ストラップの引張り荷重に耐えることができる強度を保ちながら、筺体への表面加飾の制限を受けることがない材料を使用することができ、しかも、確実な取り付けが行えるストラップ取付構造を提供することを目的とする。
【課題を解決するための手段】
【０００８】
本発明は、互いに嵌め合わせることで前記筺体の一部を構成する一対の外カバーと；前記筺体の表面のうちの少なくとも一表面に装飾面を露呈するように、前記一対の外カバーの合わせ目のうちの一部の合わせ目との間に嵌め込み固定され、固定されることで前記一対の外カバーとともに前記筺体を形成するとともに、前記ストラップ装着部材の挿入側端部に設けた取付部が挿入される開口を有する装飾カバーと；前記一対の外カバーのうちの一方の外カバーの合わせ目の内側に、前記一対の外カバーの嵌め合い方向に向けて延設されており、前記開口を通して挿入される前記取付部を挿通するための切り欠き又は穴が形成されている被係止部と；前記切り欠き又は穴を挿通した前記取付部に係合し、前記被係止部に対して前記ストラップ装着部材の抜け止めを行うストップ部材と；を備えたものである。
【０００９】
ところで、ストラップ装着部材の取付部を装飾カバーの開口に挿入する構成では、取付部を設けたストラップ装着部材の取付面の周縁と装飾カバーの開口の周縁との間に隙間が生じて、内部が見えてしまうおそれがある。このようになるとで見栄えが悪い。この場合には、装飾部材の開口の周縁の全部又は一部に受け部を設け、取付部を形成したストラップ装着部材の取付面の周縁の一部又は全部をその受け部でストラップ装着部材の挿入方向から受けるようにすればよい。このように、開口の周縁のうちの少なくとも一部だけでも受け部を設けることで前記隙間を隠すことができるので、見栄えが良くなる。
【００１０】
また、ストラップ装着部材を一方の外カバーの被係止部に固定するようにしたから、装飾カバーにはストラップ紐の引張り力が掛かることがない。このため、装飾カバーとしては、強度の弱い樹脂材料などを使え、よってこれに表面加飾を施すことができる。このような装飾を施すことが出来る装飾カバーに操作部を設けることで、さらに操作部の周りにも化粧を施すことができる。なお、表面加飾としては、成型と同時に行える一次加飾と、成型後に行える二次加飾とがある。
【００１１】
ストップ部材は、被係止部の切り欠き又は穴を挿通した後の取付部に係合し、被係止部に対してストラップ装着部材の抜け止めを行う。このようなストップ部材には、ストラップ装着部材が挿入方向とは逆の方向に抜けないように阻止する作用が必要である。例えば取付部に溝を設け、その溝に係止されるストップリングや、フォーク状の切り欠き部を持つストップ板などを用いることができる。このようなストップ部材を、前記挿入方向に対して交差する方向から取付部の溝に係止させればよい。このようなストップ部材を用いると、取付面からの取付部の溝までの寸法を精度良く管理しないと、ストラップ装着部材の挿入方向にガタが生じるおそれがある。そこで、そのガタを吸収するためには、前記挿入方向に弾性を有する形状又は材質でストップ部材を形成すればよい。これにより、前記寸法をラフに作れるため、ストラップ装着部材のローコスト化を図ることができる。
【発明の効果】
【００１２】
本発明では、一対の外カバーとの間に装飾カバーを挟持し、装飾カバーの表面にストラップ装着部材を取り付けるとき、装飾カバーの開口を通してストラップ装着部材の取付部を、装飾カバーの内側に配される被係止部の切り欠き又は穴に挿入し、挿入後の取付部にストップ部材を係止することで装飾カバーの表面から抜けないようにストラップ装着部材を一方の外カバーに固定するため、装着カバーにストラップ紐の引張り力が掛かることがなく、よって、表面加飾を自由に施すことができる強度の弱い樹脂材料などで装飾カバーを作ることができる。
【発明を実施するための最良の形態】
【００１３】
本発明を採用した電子機器をデジタルカメラとして説明する。デジタルカメラ１０は、図１及び図２に示すように、電源スイッチ１１、シャッタボタン１２、鏡筒１３、ＬＣＤ表示部１４、及びストラップ装着部材１５などが外カバーの外部に露呈して配されており、電源スイッチ１１をＯＮすると、鏡筒１３が外カバーの前面から突出して撮影準備状態になる。撮影準備状態になると、鏡筒１３が保持した撮影レンズにより結像した画像が撮像センサにより電気信号に変換されてその画像がＬＣＤ表示部１４にスルー画像として表示される。そして、シャッタボタン１２を押すことに応答してその時点の画像のデータが内部メモリに記録される。
【００１４】
外カバーは、厚みの薄い筺体を構成しており、前カバー１６、装飾カバー１７、及び、後カバー１８とで構成されている。装飾カバー１７は、カメラ正面から見て上面の一部から左側面の一部に繋がるＬ字状のカバー部材であり、前・後カバー１６，１８との間で挟持される。装飾カバー１７は、表面加飾を施すことができるようにプラスチック材料で形成されている。表面加飾が施された表面のうちの左側面には、電源スイッチ１１やストラップ装着部材１５が、また、上面にはシャッタボタン１２などが外部に露呈してそれぞれ設けられている。
【００１５】
ストラップ装着部材１５は、本発明のストラップ取付構造の一部を構成しており、装飾カバー１７から突出した部位には、光軸２２ａの方向に貫通したストラップ取付穴１９が設けられている。ストラップ取付穴１９には、ストラップ２０の一端２１が係止される。
【００１６】
外カバーの内部には、図３に示すように、鏡筒ユニット２２や回路基板２３などが収納されている。鏡筒ユニット２２は、鏡筒１３が組み込まれている。この鏡筒１３は、撮影時に前カバー１６の前面に設けた鏡筒用窓２４を通して進退する。回路基板２３には、ＬＣＤ表示部１４が保持されているとともに、カメラ１０を統括的に制御する回路などが実装されている。ＬＣＤ表示部１４は、後カバー１８に設けた開口２５から外部に露呈される。前・後カバー１６，１８は、光軸２２ａと平行な方向に嵌め合わされる。
【００１７】
ストラップ取付構造は、図４及び図５に示すように、ストラップ装着部材１５に加えて、開口３０、被係止部３１、及び、ストップ部材３２で構成されている。開口３０は、装飾カバー１７に形成されており、開口３０には、ストラップ装着部材１５に一体に設けた取付部３３が挿入される。この取付部３３は、軸３５と、その軸３５の外周に設けた溝３６とで構成されている。軸３５は、ストラップ装着部材１５の取付面３４から装飾カバー１７に挿入する方向（挿入方向）に突出している。なお、その挿入方向は、光軸２２ａに交差する方向となっている。溝３６は、取付面３４、これに対峙する鍔面３７、及び、底面３８とで構成される断面凹状の形状となっている。
【００１８】
開口３０の周縁には、受け部３９が形成されている。受け部３９は、段差形状となっており、ストラップ装着部材１５の取付面３４の周縁を挿入方向から受ける。なお、受け部３９としては、開口３０の周縁の全周ではなく、一部だけに設けても良い。
【００１９】
前・後カバー１６，１８との合わせ目の一部には、装飾カバー１７を嵌め込むための切り欠き４０，４１がそれぞれ形成されている。被係止部３１は、前カバー１６の切り欠き４０から後カバー１８に向けて板状に突出した部材となっており、前カバー１６に一体に形成されている。この被係止部３１には、前記挿入方向に向けて貫通した穴４２が形成されている。この穴４２は、前カバー１６に装飾カバー１７を取り付けたときに、開口３０の背後に配される。そして、この穴４２には、開口３０に挿入した後の取付部３３が挿入される。なお、穴４２の代わりに、前カバー１６を装飾カバー１７に取り付ける方向に開放側を向けた切り欠きとしてもよい。
【００２０】
穴４２に挿入した後の取付部３３には、ストップ部材３２が係止される。ストップ部材３２は、溝３６に挿入するための切り欠き部４４を有する板状の部材となっており、切り欠き部４４の開放側を溝３６に向けた方向、すなわち、前記挿入方向に交差する方向（光軸２２ａと平行な方向（ストップ部材の取付方向））に挿入することで被係止部３１に取付部３３を係止してストラップ装着部材１５の抜け止めを行う。
【００２１】
このようなストラップ取付構造の作用を簡単に説明する。まず、装飾カバー１７を前カバー１６の切り欠き４０に嵌め込む。これにより、開口３０の背後に被係止部３１の穴４２が配される。その後、ストラップ装着部材１５の取付部３３を開口３０に向けて挿入する。すると、ストラップ装着部材１５の取付面３４の周縁が受け部３９に当接し、ストラップ装着部材１５のそれ以上の挿入が阻止される。このとき、取付部３３が開口３０及び穴４２を通過する。その後、穴４２を通過した取付部３３の溝３６に切り欠き部４４が入り込む姿勢でストップ部材３２を挿入する。これにより、溝３６を構成する鍔面３７と取付面３４との間に、被係止部３１とストップ部材３２とが挟み込まれて、ストラップ装着部材１５が前カバー１６の被係止部３１に固定される。固定されると、ストップ部材３２によりストラップ装着部材１５の抜け止めがなされ、また、受け部３９によりストラップ装着部材１５の周り止めもなされる。そして、最後に、後カバー１８を前カバー１６に取り付けることで、装飾カバー１７が前・後カバー１６，１８の切り欠き４０，４１の間で挟持されて、本発明の筺体に相当する外カバーが作られる。勿論、外カバーの内部には、鏡筒ユニット２２や回路基板２３などのデジタルカメラに必要な構成要素が組み込まれているので後カバー１８を取り付けることでデジタルカメラ１０が完成する。
【００２２】
ここで、ストラップ２０の引張り強度に耐えるように、ストラップ装着部材１５及び前カバー１６の材料としては、金属又は高強度樹脂を用いるのが望ましい。
【００２３】
また、穴４２には取付部３３の軸３５が挿入するために、穴４２は軸３５の径よりも大きい寸法となっている。また、被係止部３１のうちのカメラの高さ方向の長さは、鍔面３７と取付面３４との間でストップ部材３２と重なる長さになっている。さらに、被係止部３１の切り欠き部４４は、軸３５から抜けないように軸３５の径よりも小さい長さの幅で作ることが必要である。そして、溝３６の幅長さは、ストップ部材３２が抜け落ちないように、被係止部３１とストップ部材３２との厚み長さを加算した長さと同じか、又はそれよりも僅かに小さい長さの幅で作ることが必要である。
【００２４】
ところで、カメラなどの電子機器は多量生産され、ストラップ取付構造を構成する個々の部品の寸法精度を高めると、部品コストが高く付く。しかし、寸法精度が悪いと、ストラップ装着部材１５が挿入方向にガタ付いてしまい、ストップ部材３２が溝３６から抜け落ちるなどの不都合が生じるおそれがある。
【００２５】
そこで、ストラップ装着部材１５の挿入方向に弾性を有する形状、又は材質でストップ部材を形成するのが好適である。例えば図６ないし図８に示すストップ部材５０は、切り欠き部５１を有するバネ部５２の周りの一部５４を切り欠き、また、そのバネ部５２をベース部５３に対して挿入方向に予め折り曲げた形状となっている。これにより、取付部３３に取り付けたときに、バネ部５２がベース部５３を挿入方向とは逆方向に押すため、ストラップ装着部材１５のガタ付きを防止することができる。これにより、ストップ部材５０と被係止部３１との厚みに対して溝３６の幅長さをある程度広く設定しておくラフな寸法で作っても、ガタ付きを抑えることができるので、部品のローコスト化を図ることができる。なお、バネ部５２の折り曲げ方向としては、挿入方向とは逆の方向でもよい。また、ストップ部材５０としては、前述したようにバネ部５２を有する形状に限らず、厚み方向に弾性を有する材質で作っても同じ効果が得られる。
【００２６】
上記各実施形態では、電子機器としてデジタルカメラを例に説明しているが、本発明ではこれに限らず、携帯用電話機や音楽再生機など周知の電子機器などでもよい。また、本発明の筺体に相当する外カバーを、装飾カバー１７以外に前・後カバー１６，１８で構成しているが、本発明ではこれに限らず、上・下に分けたカバーで構成してもよく、また、左右に分けたカバーで構成してもよい。さらに、装飾カバー１７以外に２つのカバーに限定されることはなく、装飾カバー１７以外のカバーを３個以上のカバーで構成し、そのうちの２のカバーで装飾カバー１７を挟持するようにしてもよい。さらに、前カバー１６に被係止部３１を設けているが、後カバー１８に設けても良い。さらにまた、被係止部３１としては、前カバー１６の合わせ目に設けているが、合わせ目の内側に設けてもよい。
【図面の簡単な説明】
【００２７】
【図１】デジタルカメラを示す正面側斜視図である。
【図２】デジタルカメラを示す背面側斜視図である。
【図３】デジタルカメラの要部を示す分解斜視図である。
【図４】ストラップ取付構造の要部を示す分解斜視図である。
【図５】ストラップ取付構造の要部を示す縦断面図である。
【図６】ストップ部材に弾性を持たせた他の例を示す分解斜視図である。
【図７】図６で説明したストラップ取付構造を示す横断面図である。
【図８】図６で説明したストラップ取付構造を示す縦断面図である。
【符号の説明】
【００２８】
１５  ストラップ装着部材
１６  前カバー
１７  装飾カバー
１８  後カバー
２０  ストラップ
３０  開口
３１  被係止部
３２  ストップ部材
３３  取付部
３４  取付面
３９  受け部
４２  穴
４４  切り欠き部
【図１】
2007128996.tif 000003
【図２】
2007128996.tif 000004
【図３】
2007128996.tif 000005
【図４】
2007128996.tif 000006
【図５】
2007128996.tif 000007
【図６】
2007128996.tif 000008
【図７】
2007128996.tif 000009
【図８】
2007128996.tif 000010